(57)【特許請求の範囲】
【請求項１】
自装置と所定の端末装置とをアクセスポイントを介して無線通信可能に設定するための処理を開始させる契機を検出する検出手段と、
その検出手段によって前記契機が検出されたことに伴って、前記アクセスポイントに接続するための接続設定情報を、前記アクセスポイントから取得して記憶する接続設定情報記憶手段と、
前記検出手段によって前記契機が検出されるよりも前に、所定の端末装置を識別可能な識別情報を記憶する識別情報記憶手段と、
前記検出手段によって前記契機が検出されるよりも前に、前記識別情報記憶手段に記憶されている識別情報によって識別される所定の端末装置と直接無線通信可能な通信設定を初期設定として記憶する初期設定記憶手段と、
前記検出手段によって前記契機が検出された場合に、前記識別情報記憶手段が記憶している識別情報に基づいて、前記所定の端末の存在を確認するための確認情報を、前記初期設定を使った直接無線通信を介して前記所定の端末装置に送信する第１の送信手段と、
その第１の送信手段により送信した確認情報に対し、存在することを示す存在情報を前記初期設定を使った直接無線通信を介して前記所定の端末装置から受信したかを判断する存在情報判断手段と、
その存在情報判断手段によって前記存在情報を受信したと判断された場合に、前記接続設定情報記憶手段に記憶されている接続設定情報と、その接続設定情報を使って前記アクセスポイントに接続するための処理を開始させる指示とを、前記初期設定を使った直接無線通信を介して前記所定の端末装置に送信するか、または、前記接続設定情報を使って前記アクセスポイントに接続するための処理を開始させる指示を前記初期設定を使った直接無線通信を介して前記所定の端末装置に送信し、且つ、前記アクセスポイントから前記接続設定情報を取得する方法をユーザに対して報知する設定変更要求手段と、
前記接続設定情報記憶手段に記憶されている接続設定情報を使って自装置を前記アクセスポイントと接続可能に設定する設定手段と、
その設定手段によって自装置の設定が完了し、前記設定変更要求手段による要求を介して前記所定の端末の設定が完了し、自装置と、前記所定の端末とが前記接続設定情報を使って前記アクセスポイントを介して無線通信可能になったことを条件に、自装置と、前記所定の端末装置との両方の設定が完了したことを、自装置のユーザに対して報知する第１報知手段とを備えていることを特徴とする通信装置。
【請求項２】
前記存在情報判断手段によって前記存在情報を受信していないと判断された場合に、前記初期設定を使って前記所定の端末装置と直接無線通信可能な状態に設定する第１初期化手段と、
その第１初期化手段によって初期化させる場合に、前記所定の端末装置の通信設定を初期設定にすることを通信装置の使用者に指示する情報を報知する第２報知手段とを備えていることを特徴とする請求項１に記載の通信装置。
【請求項３】
前記識別情報と、前記初期設定とは、自装置の製造時に記憶されることを特徴とする請求項１又は２に記載の通信装置。
【請求項４】
前記所定の端末装置は、通信回線を介して外部装置と接続可能に構成されており、
前記外部装置から前記通信回線を介して前記所定の端末装置に送信されたデータであって、前記所定の端末装置から前記アクセスポイントを介して受信したデータを出力する出力手段と、
前記所定の端末装置に前記アクセスポイントを介して送信するデータであって、その所定の端末装置から前記通信回線を介して外部装置に送信するデータを生成する生成手段とを備えていることを特徴とする請求項１から３のいずれかに記載の通信装置。
【請求項５】
前記所定の端末装置は、通信装置を識別する識別情報を記憶しており、記憶している識別情報と、前記所定の端末装置を識別する識別情報と、に基づく前記確認情報を受信した場合に、前記存在情報を返信するように構成されており、
前記第１の送信手段は、自装置を識別する識別情報と、前記識別情報記憶手段が記憶している識別情報と、に基づく前記確認情報を送信することを特徴とする請求項１から４のいずれかに記載の通信装置。
【請求項６】
前記設定変更要求手段によって前記指示を送信した後、前記アクセスポイントと接続可能に設定されたことを示す完了情報を、前記初期設定を使った直接無線通信を介して前記所定の端末装置から受信したかを判断する完了情報判断手段を備え、
前記設定手段は、前記完了情報判断手段によって前記完了情報を受信したと判断された場合に、前記接続設定情報記憶手段に記憶されている接続設定情報を使って自装置を前記アクセスポイントと接続可能に設定することを特徴とする請求項１から５のいずれかに記載の通信装置。
【請求項７】
前記完了情報判断手段によって前記完了情報を受信していないと判断された場合に、前記初期設定を使って前記所定の端末装置と直接無線通信可能な状態に設定する第２初期化手段と、
その第２初期化手段によって初期化させる場合に、前記所定の端末装置の通信設定を初期設定にすることを通信装置の使用者に指示する情報を報知する第３報知手段とを備えていることを特徴とする請求項６に記載の通信装置。
【請求項８】
第１通信装置と、第２通信装置とを備えた無線通信システムにおいて、
前記第１通信装置は、
自装置と第２通信装置とをアクセスポイントを介して無線通信可能に設定するための処理を開始させる契機を検出する検出手段と、
その検出手段によって前記契機が検出されたことに伴って、前記アクセスポイントに接続するための接続設定情報を、前記アクセスポイントから取得して記憶する接続設定情報記憶手段と、
前記検出手段によって前記契機が検出されるよりも前に、前記第２通信装置を識別可能な識別情報を記憶する第１識別情報記憶手段と、
前記検出手段によって前記契機が検出されるよりも前に、前記第１識別情報記憶手段に記憶されている識別情報によって識別される第２通信装置と直接無線通信可能な通信設定を初期設定として記憶する第１初期設定記憶手段と、
前記検出手段によって前記契機が検出された場合に、前記識別情報記憶手段が記憶している識別情報に基づいて、前記第２通信装置の端末の存在を確認するための確認情報を、前記初期設定を使った直接無線通信を介して前記第２端末装置に送信する第１の送信手段と、
その第１の送信手段により送信した確認情報に対し、存在することを示す存在情報を前記初期設定を使った直接無線通信を介して前記第２端末装置から受信したかを判断する存在情報判断手段と、
その存在情報判断手段によって前記存在情報を受信したと判断された場合に、前記接続設定情報記憶手段に記憶されている接続設定情報と、その接続設定情報を使って前記アクセスポイントに接続するための処理を開始させる指示とを、前記初期設定を使った直接無線通信を介して前記第２通信装置に送信するか、または、前記接続設定情報を使って前記アクセスポイントに接続するための処理を開始させる指示を前記初期設定を使った直接無線通信を介して前記第２通信装置に送信し、且つ、前記アクセスポイントから前記接続設定情報を取得する方法をユーザに対して報知する設定変更要求手段と、
前記接続設定情報記憶手段に記憶されている接続設定情報を使って自装置を前記アクセスポイントと接続可能に設定する第１の設定手段と、
その第１の設定手段によって自装置の設定が完了し、前記設定変更要求手段による要求を介して前記第２通信装置の設定が完了し、自装置と、前記第２通信装置とが前記接続設定情報を使って前記アクセスポイントを介して無線通信可能になったことを条件に、自装置と、前記第２通信装置との両方の設定が完了したことを、自装置のユーザに対して報知する第１報知手段とを備え、
前記第２通信装置は、
前記検出手段によって前記契機が検出されるよりも前に、前記第１通信装置を識別可能な識別情報を記憶する第２識別情報記憶手段と、
前記検出手段によって前記契機が検出されるよりも前に、前記第２識別情報記憶手段に記憶されている識別情報によって識別される第２通信装置と直接無線通信可能な通信設定を初期設定として記憶する第２初期設定記憶手段と、
前記第１通信装置の前記第１の送信手段から前記初期設定を使った直接無線通を介して前記確認情報を受信したかを判断する確認情報判断手段と、
その確認情報判断手段によって前記確認情報を受信したと判断された場合に、前記存在情報を前記初期設定を使った直接無線通信を介して前記第１通信装置に送信する第２の送信手段と、
前記第１通信装置の前記設定変更要求手段から前記初期設定を使った直接無線通を介して前記アクセスポイントに接続するための処理を開始させる指示を受信したかを判断する判断手段と、
その判断手段によって前記指示を受信したと判断された場合に、自装置を前記アクセスポイントと接続可能に設定する第２の設定手段とを備えていることを特徴とする無線通信システム。
【発明の詳細な説明】
【技術分野】
【０００１】
本発明は、通信装置および無線通信システムに関する。
【背景技術】
【０００２】
特許文献１には、ＰＣ１０が無線ＬＡＮアクセスポイントルータ３０と接続されている環境下において、新たにインターネットラジオ２０を無線ＬＡＮアクセスポイントルータ３０を介してＰＣ１０と無線通信可能に設定する技術が記載されている。
【０００３】
しかし、特許文献１は、ＰＣ１０が無線ＬＡＮアクセスポイントルータ３０と接続されていることが前提となっており、新たに、ＰＣ１０と、インターネットラジオ２０との２台を並行して、無線ＬＡＮアクセスポイントルータ３０を介して無線通信可能に設定するものではない。一方で、新たに２台の通信装置を並行してアクセスポイントを介して無線通信可能に設定するには、従来から、２台の通信装置の各々と、アクセスポイントとを、ユーザが所定の操作をすることで行われていた。
【先行技術文献】
【特許文献】
【０００４】
【特許文献１】特開２００５−１４２７９２
【発明の概要】
【発明が解決しようとする課題】
【０００５】
しかしながら、新たに２台の通信装置を並行してアクセスポイントを介して無線通信可能に設定するために、２台の通信装置の各々と、アクセスポイントとを操作するのはユーザにとって手間であるという問題点があった。また、ユーザに操作手順を報知する手段、例えば、ＬＣＤや、スピーカが搭載されていない通信装置では、ユーザに操作手順を報知できず、かかる設定をするのがユーザにとって大変であるという問題点があった。
【０００６】
本発明は、上述した問題点を解決するためになされたものであり、自装置と、所定の端末装置との各々について、簡単にアクセスポイントを介して無線通信可能に設定することができる通信装置を提供することを目的としている。
【課題を解決するための手段】
【０００７】
この目的を達成するために、本発明の通信装置は、自装置と所定の端末装置とをアクセスポイントを介して無線通信可能に設定するための処理を開始させる契機を検出する検出手段と、その検出手段によって前記契機が検出されたことに伴って、前記アクセスポイントに接続するための接続設定情報を、前記アクセスポイントから取得して記憶する接続設定情報記憶手段と、前記検出手段によって前記契機が検出されるよりも前に、所定の端末装置を識別可能な識別情報を記憶する識別情報記憶手段と、前記検出手段によって前記契機が検出されるよりも前に、前記識別情報記憶手段に記憶されている識別情報によって識別される所定の端末装置と直接無線通信可能な通信設定を初期設定として記憶する初期設定記憶手段と、前記検出手段によって前記契機が検出された場合に、前記識別情報記憶手段が記憶している識別情報に基づいて、前記所定の端末の存在を確認するための確認情報を、前記初期設定を使った直接無線通信を介して前記所定の端末装置に送信する第１の送信手段と、その第１の送信手段により送信した確認情報に対し、存在することを示す存在情報を前記初期設定を使った直接無線通信を介して前記所定の端末装置から受信したかを判断する存在情報判断手段と、その存在情報判断手段によって前記存在情報を受信したと判断された場合に、前記接続設定情報記憶手段に記憶されている接続設定情報と、その接続設定情報を使って前記アクセスポイントに接続するための処理を開始させる指示とを、前記初期設定を使った直接無線通信を介して前記所定の端末装置に送信するか、または、前記接続設定情報を使って前記アクセスポイントに接続するための処理を開始させる指示を前記初期設定を使った直接無線通信を介して前記所定の端末装置に送信し、且つ、前記アクセスポイントから前記接続設定情報を取得する方法をユーザに対して報知する設定変更要求手段と、前記接続設定情報記憶手段に記憶されている接続設定情報を使って自装置を前記アクセスポイントと接続可能に設定する設定手段と、その設定手段によって自装置の設定が完了し、前記設定変更要求手段による要求を介して前記所定の端末の設定が完了し、自装置と、前記所定の端末とが前記接続設定情報を使って前記アクセスポイントを介して無線通信可能になったことを条件に、自装置と、前記所定の端末装置との両方の設定が完了したことを、自装置のユーザに対して報知する第１報知手段とを備えている。
【０００８】
【０００９】
また、本発明の無線通信システムは、第１通信装置と、第２通信装置とを備えたものであって、前記第１通信装置は、自装置と第２通信装置とをアクセスポイントを介して無線通信可能に設定するための処理を開始させる契機を検出する検出手段と、その検出手段によって前記契機が検出されたことに伴って、前記アクセスポイントに接続するための接続設定情報を、前記アクセスポイントから取得して記憶する接続設定情報記憶手段と、前記検出手段によって前記契機が検出されるよりも前に、前記第２通信装置を識別可能な識別情報を記憶する第１識別情報記憶手段と、前記検出手段によって前記契機が検出されるよりも前に、前記第１識別情報記憶手段に記憶されている識別情報によって識別される第２通信装置と直接無線通信可能な通信設定を初期設定として記憶する第１初期設定記憶手段と、前記検出手段によって前記契機が検出された場合に、前記識別情報記憶手段が記憶している識別情報に基づいて、前記第２通信装置の端末の存在を確認するための確認情報を、前記初期設定を使った直接無線通信を介して前記第２端末装置に送信する第１の送信手段と、その第１の送信手段により送信した確認情報に対し、存在することを示す存在情報を前記初期設定を使った直接無線通信を介して前記第２端末装置から受信したかを判断する存在情報判断手段と、その存在情報判断手段によって前記存在情報を受信したと判断された場合に、前記接続設定情報記憶手段に記憶されている接続設定情報と、その接続設定情報を使って前記アクセスポイントに接続するための処理を開始させる指示とを、前記初期設定を使った直接無線通信を介して前記第２通信装置に送信するか、または、前記接続設定情報を使って前記アクセスポイントに接続するための処理を開始させる指示を前記初期設定を使った直接無線通信を介して前記第２通信装置に送信し、且つ、前記アクセスポイントから前記接続設定情報を取得する方法をユーザに対して報知する設定変更要求手段と、前記接続設定情報記憶手段に記憶されている接続設定情報を使って自装置を前記アクセスポイントと接続可能に設定する第１の設定手段と、その第１の設定手段によって自装置の設定が完了し、前記設定変更要求手段による要求を介して前記第２通信装置の設定が完了し、自装置と、前記第２通信装置とが前記接続設定情報を使って前記アクセスポイントを介して無線通信可能になったことを条件に、自装置と、前記第２通信装置との両方の設定が完了したことを、自装置のユーザに対して報知する第１報知手段とを備え、前記第２通信装置は、前記検出手段によって前記契機が検出されるよりも前に、前記第１通信装置を識別可能な識別情報を記憶する第２識別情報記憶手段と、前記検出手段によって前記契機が検出されるよりも前に、前記第２識別情報記憶手段に記憶されている識別情報によって識別される第２通信装置と直接無線通信可能な通信設定を初期設定として記憶する第２初期設定記憶手段と、前記第１通信装置の前記第１の送信手段から前記初期設定を使った直接無線通を介して前記確認情報を受信したかを判断する確認情報判断手段と、その確認情報判断手段によって前記確認情報を受信したと判断された場合に、前記存在情報を前記初期設定を使った直接無線通信を介して前記第１通信装置に送信する第２の送信手段と、前記第１通信装置の前記設定変更要求手段から前記初期設定を使った直接無線通を介して前記アクセスポイントに接続するための処理を開始させる指示を受信したかを判断する判断手段と、その判断手段によって前記指示を受信したと判断された場合に、自装置を前記アクセスポイントと接続可能に設定する第２の設定手段とを備えている。
【発明の効果】
【００１０】
請求項１記載の通信装置によれば、ユーザにとっては、自装置と所定の端末装置とをアクセスポイントを介して無線通信可能に設定するための処理を開始させる契機を入力すれば、簡単に、自装置と所定の端末装置とをアクセスポイントに接続可能に設定できるという効果がある。従って、特に、自装置と所定の端末装置とをアクセスポイントに初めて接続する場合におけるユーザの負担を極力、軽減できるという効果がある。
また、特に、設定変更要求手段により、接続設定情報と、その接続設定情報を使ってアクセスポイントに接続するための処理を開始させる指示とを送信する場合には、所定の端末装置において、接続設定情報を取得させる必要がなく、ユーザにとって使い勝手が良いという効果がある。
【００１１】
請求項２記載の通信装置によれば、請求項１に記載の通信装置の奏する効果に加え、存在情報判断手段によって存在情報を受信していないと判断された場合には、初期設定に設定すると共に、所定の端末装置も初期設定するよう報知するので、再び、自装置と、所定の端末装置とを、アクセスポイントに接続する処理を開始させることができるという効果がある。
【００１２】
請求項３記載の通信装置によれば、請求項１又は２に記載の通信装置の奏する効果に加え、識別情報と、初期設定とは、自装置の製造時に記憶されるので、ユーザは、識別情報と、初期設定とを記憶させる必要がない。よって、自装置と所定の端末装置とをアクセスポイントに接続する場合におけるユーザの負担を極力、軽減できるという効果がある。
【００１３】
請求項４記載の通信装置によれば、請求項１から３のいずれかに記載の通信装置の奏する効果に加え、例えば、所定の端末装置を戸棚の中等の目立たない場所、操作し難い場所に設置しても、出力手段と、生成手段とを操作するのには何ら支障はなく、ユーザにとって使い勝手が良いという効果がある。
【００１４】
請求項５記載の通信装置によれば、請求項１から４のいずれかに記載の通信装置の奏する効果に加え、記憶されている識別情報によって特定される装置から確認情報が送信されたことを、所定の端末装置に認識させることができるという効果がある。
請求項６記載の通信装置によれば、請求項１から５のいずれかに記載の通信装置の奏する効果に加え、所定の端末装置から完了情報を受信したと判断された場合に、接続設定情報を使って自装置をアクセスポイントと接続可能に設定するので、所定の端末装置がアクセスポイントと接続可能に設定されたことを確認できるという効果がある。
請求項７記載の通信装置によれば、請求項６に記載の通信装置の奏する効果に加え、完了情報判断手段によって完了情報を受信していないと判断された場合には、初期設定に設定すると共に、所定の端末装置も初期設定するよう報知するので、再び、自装置と、所定の端末装置とを、アクセスポイントに接続する処理を開始させることができるという効果がある。
【００１５】
請求項８記載の無線通信システムによれば、ユーザにとっては、自装置と第２通信装置とをアクセスポイントを介して無線通信可能に設定するための処理を開始させる契機を入力さえすれば、簡単に、第１通信装置と第２通信装置とをアクセスポイントに接続可能に設定できるという効果がある。従って、特に、第１通信装置と第２通信装置とをアクセスポイントに初めて接続する場合におけるユーザの負担を極力、軽減できるという効果がある。
【図面の簡単な説明】
【００１６】
【図１】本発明の通信装置の一例であるＭＦＰと、ＢＯＸと、ＡＰとの外観構成を示した斜視図である。
【図２】ＭＦＰと、ＢＯＸと、ＡＰとの電気的構成を示すブロック図である。
【図３】ＭＦＰのペア設定処理を示すフローチャートである。
【図４】ＭＦＰの設定確認処理を示すフローチャートである。
【図５】ＭＦＰのＭＦＰ設定変更処理を示すフローチャートである。
【図６】ＭＦＰのＢＯＸ設定変更処理を示すフローチャートである。
【図７】ＭＦＰの新設定切替指示処理を示すフローチャートである。
【図８】ＢＯＸの要求実行処理を示すフローチャートである。
【図９】第２実施形態におけるＭＦＰのＢＯＸ設定変更処理を示すフローチャートである。
【図１０】第２実施形態におけるＢＯＸの要求実行処理を示すフローチャートである。
【発明を実施するための形態】
【００１７】
以下、本発明の好ましい第１実施形態について、添付図面を参照して説明する。図１は、本発明の通信装置の一例である多機能周辺装置（以下「ＭＦＰ」と称す）１と、回線制御装置（以下「ＢＯＸ」と称す）３１と、アクセスポイント（以下「ＡＰ」と称す）５１とを示した外観斜視図である。
【００１８】
ＭＦＰ１とＢＯＸ３１とは、無線ＬＡＮ方式の無線通信によりＩＰ（Internet Protocol）に拠るデータ通信が可能な無線ＬＡＮクライアントであり、ＡＰ５１は、無線ＬＡＮ方式の無線通信によりデータ通信が可能な既知の無線ＬＡＮアクセスポイントである。尚、無線ＬＡＮ方式とは、例えば、ＩＥＥＥ８０２．１１ａ／ｂ／ｇ／ｎの規格で定められる通信方式等である。
【００１９】
無線ＬＡＮ方式の無線通信には、通信モードとして、アドホックモード（以下「Ａｄモード」と称す）と、インフラストラクチャーモード（以下「Ｉｎｆモード」と称す）との２つのモードが設けられており、何れか一方のモードで通信が行われる。Ａｄモードは、無線ＬＡＮクライアント間で直接通信を行うモードであり、図１の無線ネットワーク２００は、Ａｄモードで通信を行うネットワークの一例である。Ｉｎｆモードは、無線ＬＡＮクライアントが無線ＬＡＮアクセスポイントを介して通信を行うモードであり、図１の無線ネットワーク２０１は、Ｉｎｆモードで通信を行うネットワークの一例である。
【００２０】
ＭＦＰ１およびＡＰ５１は、ＡｉｒＳｔａｔｉｏｎ  Ｏｎｅ−Ｔｏｕｃｈ  Ｓｅｃｕｒｅ  Ｓｙｓｔｅｍ（以下「ＡＯＳＳ（登録商標）」と称す）や、Ｗｉ−Ｆｉ  Ｐｒｏｔｅｃｔｅｄ  Ｓｅｔｕｐ（以下「ＷＰＳ（登録商標）」と称す））等のような無線ＬＡＮ設定システムに対応しており、ユーザがＭＦＰ１およびＡＰ５１の無線設定ボタン１７ａ、５１ａ（図１参照）を各１回ずつ押下するだけで、ＭＦＰ１がＩｎｆモードでＡＰ５１を介した無線通信を行うことが可能になる。
【００２１】
第１実施形態は、ユーザがＭＦＰ１およびＡＰ５１の無線設定ボタン１７ａ，５１ａを各１回ずつ押下するだけで、ＭＦＰ１およびＢＯＸ３１を、同一のＡＰ５１を介して互いにデータ通信可能な状態にするという実施形態である。
【００２２】
より具体的には、ＭＦＰ１およびＡＰ５１において共に、無線ＬＡＮ設定システムに拠る処理（以降、システム処理とも述べる）が実行されるように、ユーザが、ＭＦＰ１およびＡＰ５１の無線設定ボタン１７ａ，５１ａを１回ずつ押下する。すると、ＭＦＰ１では無線ＬＡＮに関する新たな設定値が取得され、その結果、ＩｎｆモードでＡＰ５１を介した無線通信が可能になる。そして、その新たな設定値をＭＦＰ１がＢＯＸ３１へ送信する。これにより、ＢＯＸ３１おいてもその新たな設定値を取得させることができ、その結果、ＢＯＸ３１もＩｎｆモードでＡＰ５１を介した無線通信が可能になる。よって、ＭＦＰ１およびＢＯＸ３１は、同一のＡＰ５１を介して互いにデータ通信可能な状態になる。
【００２３】
ＭＦＰ１には、主に、下部にインクジェット方式のプリンタ１９、上部にフラットベッド方式のスキャナ２０、正面上部に操作パネル６が設けられている。操作パネル６には、操作キー１７、ＬＣＤ１８が主に設けられている。操作キー１７には、無線設定ボタン１７ａが設けられており、このボタン１７ａが押下されると、後述するペア設定処理（図３参照）が実行開始される。
【００２４】
ＢＯＸ３１は、主に、電話回線網１００を使用する通信の制御を行うものであり、電話回線網１００に接続されている。ＢＯＸ３１には、主に、操作キー３８、ＬＣＤ３９が設けられている。操作キー３８には、ネットワーク設定リセットボタン３８ａが設けられており、このボタン３８ａが押下されると、ＢＯＸ３１の無線ＬＡＮに関する設定値が初期状態（工場出荷時の状態）にリセットされる。
【００２５】
本実施形態では、製造時に、ＭＦＰ１およびＢＯＸ３１が一対となるようにペアが作られると共に、ペアとなる各装置１，３１の個体を識別可能となるように、各装置１，３１にペアとなる装置１，３１の識別情報が記憶される。また、そのペアとなる各装置１，３１の初期状態として、各装置１，３１がＡｄモードで互いにデータ通信可能となるように、各装置１，３１の現ネットワーク設定メモリ１４ｃ，３５ｃに無線ＬＡＮに関する設定値が記憶される。以下、製造時に、ＭＦＰ１に対してペアとされたＢＯＸ３１のことを、ペアのＢＯＸ３１と記載する。
【００２６】
尚、ここで記憶される設定値としては、例えば、ＳＳＩＤや、無線ＬＡＮのチャンネル番号等であり、これらの設定値は、ＭＦＰ１であれば初期設定メモリ１４ａ（図２参照）にも、ＢＯＸ３１であれば初期設定メモリ３５ａにも記憶される。ユーザは各装置１，３１を操作することで、無線ＬＡＮに関する設定値をそれぞれ初期状態に戻すことができる。また、識別情報としては、例えば、各装置１，３１に製造時に与えられるシリアルＩＤであり、ＭＦＰ１の識別情報メモリ１４ｂにはＢＯＸ３１のシリアルＩＤが記憶され、ＢＯＸ３１の識別情報メモリ３５ｂにはＭＦＰ１のシリアルＩＤが記憶されている。なお、ＭＦＰ１、ＢＯＸ３１ともに、製造時に、自装置が備えるフラッシュメモリ１４，３５上の図示しない領域に自装置１，３１のシリアルＩＤが記憶される。
【００２７】
図２は、ＭＦＰ１と、ＢＯＸ３１と、ＡＰ５１との電気的構成を示すブロック図である。ＭＦＰ１は、ＣＰＵ１１、ＲＯＭ１２、ＲＡＭ１３、フラッシュメモリ１４、無線ＬＡＮ通信制御回路１５、操作キー１７、ＬＣＤ１８、プリンタ１９、スキャナ２０、メモリカードリーダライタ２３とを主に有している。
【００２８】
ＣＰＵ１１、ＲＯＭ１２、ＲＡＭ１３、フラッシュメモリ１４は、バスライン２１を介して互いに接続されている。また、無線ＬＡＮ通信制御回路１５、操作キー１７、ＬＣＤ１８、プリンタ１９、スキャナ２０、バスライン２１は、入出力ポート２２を介して互いに接続されている。
【００２９】
ＣＰＵ１１は、ＲＯＭ１２等に記憶される固定値やプログラム或いは、無線ＬＡＮ通信制御回路１５を介して送受信される各種信号に従って、各機能の制御や、入出力ポート２２と接続された各部を制御するものである。
【００３０】
ＲＯＭ１２は、ＭＦＰ１で実行される制御プログラム等を格納した書換不能なメモリであり、図３〜図７を参照して後述する各処理を実行するためのプログラム等が格納されている。ＲＡＭ１３は、書換可能な揮発性のメモリである。フラッシュメモリ１４は、書換可能な不揮発性のメモリであり、上述した初期設定メモリ１４ａと識別情報メモリ１４ｂとに加え、現ネットワーク設定メモリ１４ｃと、新ネットワーク設定メモリ１４ｄと、ＩＰアドレスメモリ１４ｅと、ペアアドレスメモリ１４ｆとを有する。
【００３１】
現ネットワーク設定メモリ１４ｃは、無線ＬＡＮに関する設定値を記憶するためのメモリである。ＣＰＵ１１は、ＭＦＰ１の電源が投入されたとき、リセットされたとき、あるいは、現ネットワーク設定メモリ１４ｃの設定値が変更されたときに、現ネットワーク設定メモリ１４ｃの設定値を無線ＬＡＮ通信制御回路１５に入力する。また、ＣＰＵ１１はこのとき、フラッシュメモリ１４上の図示しない領域に記憶している、ＭＦＰ１のＭＡＣ（Media Access Control）アドレスも無線ＬＡＮ通信制御回路１５に入力する。
【００３２】
無線ＬＡＮに関する設定値としては、通信モード、認証タイプ、暗号化モード、暗号化キーの種別、暗号化キーの設定値などが該当する。尚、これらの各設定値は、上述したシステム処理によって記憶される。
【００３３】
新ネットワーク設定メモリ１４ｄは、システム処理を実行して、無線ＬＡＮに関する設定値を新たに取得した場合に、新たな設定値を一時的に記憶するためのメモリである。
【００３４】
ＩＰアドレスメモリ１４ｅは、ＭＦＰ１のＩＰアドレスを記憶するためのメモリである。なお、製造時にはＩＰアドレスメモリ１４ｅにＩＰアドレスを記憶させていない。工場出荷状態でＭＦＰ１の電源が投入されたとき、ＣＰＵ１１はＡｕｔｏＩＰやＤＨＣＰ（Dynamic Host Configuration Protocol）に拠る処理にて、ＩＰアドレスを取得し、それをＩＰアドレスメモリ１４ｅに記憶する。なお、ネットワークごとに有効なＩＰアドレスは異なるため、ＣＰＵ１１は、現ネットワーク設定メモリ１４ｃの設定値が変更されたとき（すなわち新たな無線ネットワークに接続するとき）にも、ＩＰアドレスを取得する処理を行い、新たに取得したＩＰアドレスを、ＩＰアドレスメモリ１４ｅに記憶する。
【００３５】
ペアアドレスメモリ１４ｆは、ペアとなるＢＯＸ３１のＩＰアドレスを記憶するためのメモリである。ＣＰＵ１１は、ペアとなるＢＯＸ３１のＩＰアドレスを、次に示す処理で取得する。ＣＰＵ１１は、ＭＦＰ１の電源が投入されたときに、ＭＦＰ１のシリアルＩＤを含むパケットであって、ＭＦＰ１を送信元としたシリアルＩＤ要求パケットを生成し、無線ＬＡＮ通信制御回路１５に、そのパケットを無線ネットワーク（２００または２０１）にＳＮＭＰ（Ｓｉｍｐｌｅ  Ｎｅｔｗｏｒｋ  Ｍａｎａｇｅｍｅｎｔ  Ｐｒｏｔｏｃｏｌ）でブロードキャスト形式で送信させる。
【００３６】
すると、ネットワーク上に存在するＢＯＸ３１（ペアに関わらず）から、ＢＯＸ３１のシリアルＩＤを含むパケットであって、ＢＯＸ３１を送信元とし、受信先をＭＦＰ１としたシリアルＩＤ返信パケットが返信されるので、これを無線ＬＡＮ通信制御回路１５が受信する。そして、ＣＰＵ１１は、無線ＬＡＮ通信制御回路１５が受信したシリアルＩＤ返信パケットの中に、識別情報メモリ１４ｂが記憶しているシリアルＩＤと一致するシリアルＩＤを含むパケットが存在したら、そのパケットの送信元情報であるＩＰアドレスを、ペアアドレスメモリ１４ｆに記憶する。
【００３７】
なお、装置Ａ（例えば、ＭＦＰ１）を送信元としたパケットは、送信元情報として装置ＡのＩＰアドレスを含んでいる。装置Ａを受信先としたパケットは、受信先情報として装置ＡのＩＰアドレスを含んでいる。また、パケットＢ（例えば、シリアルＩＤ要求パケット）は、パケットＢであることを示す情報を含んでいる。
【００３８】
また、装置Ａを受信先としたパケットを送信することを、「装置Ａへ送信する」とも述べる。装置Ａを送信元としたパケットを受信することを、「装置Ａから受信する」とも述べる。
【００３９】
無線ＬＡＮ通信制御回路１５は、無線ＬＡＮ方式の無線通信によるデータ通信の各種制御を行うものであり、設定メモリ１５ａと、無線ＬＡＮ用アンテナ１６とを有する。この無線ＬＡＮ通信制御回路１５は、他の通信装置（例えば、ＢＯＸ３１や、ＡＰ５１など）との間で各種のデータを構成するデジタル信号を送受信するものである。設定メモリ１５ａは、ＣＰＵ１１が入力した無線ＬＡＮに関する設定値やＭＡＣアドレスを記憶する揮発性のメモリである。
【００４０】
ＢＯＸ３１は、ＣＰＵ３２、ＲＯＭ３３、ＲＡＭ３４、フラッシュメモリ３５、無線ＬＡＮ通信制御回路３６、操作キー３８、ＬＣＤ３９、モデム４０、ＮＣＵ４１とを主に有している。ＣＰＵ３２、ＲＯＭ３３、ＲＡＭ３４、フラッシュメモリ３５は、バスライン４２を介して互いに接続されている。また、無線ＬＡＮ通信制御回路３６、操作キー３８、ＬＣＤ３９、モデム４０、ＮＣＵ４１、バスライン４２は、入出力ポート４３を介して互いに接続されている。
【００４１】
ＣＰＵ３２は、ＲＯＭ３３等に記憶される固定値やプログラム或いは、無線ＬＡＮ通信制御回路３６を介して送受信される各種信号に従って、各機能の制御や、入出力ポート４３と接続された各部を制御するものである。
【００４２】
ＲＯＭ３３は、ＢＯＸ３１で実行される制御プログラム等を格納した書換不能なメモリであり、図８を参照して後述する処理を実行するためのプログラム等が格納されている。ＲＡＭ３４は、書換可能な揮発性のメモリである。フラッシュメモリ３５は、書換可能な不揮発性のメモリであり、上述した初期設定メモリ３５ａと識別情報メモリ３５ｂとに加え、現ネットワーク設定メモリ３５ｃと、新ネットワーク設定メモリ３５ｄと、ＩＰアドレスメモリ３５ｅと、ペアアドレスメモリ３５ｆとを有する。
【００４３】
現ネットワーク設定メモリ３５ｃは、無線ＬＡＮに関する設定値を記憶するためのメモリである。ＣＰＵ３２は、ＢＯＸ３１の電源が投入されたとき、リセットされたとき、あるいは、現ネットワーク設定メモリ３５ｃの設定値が変更されたときに、現ネットワーク設定メモリ３５ｃの設定値を無線ＬＡＮ通信制御回路３６に入力する。また、ＣＰＵ３２はこのとき、フラッシュメモリ３５上の図示しない領域に記憶している、ＢＯＸ３１のＭＡＣアドレスも無線ＬＡＮ通信制御回路３６に入力する。
【００４４】
新ネットワーク設定メモリ３５ｄは、ＭＦＰ１から無線ＬＡＮに関する設定値を新たに取得した場合に、新たな設定値を一時的に記憶するためのメモリである。
【００４５】
ＩＰアドレスメモリ３５ｅは、ＢＯＸ３１のＩＰアドレスを記憶するためのメモリである。なお、ＩＰアドレスメモリ１４ｅと同様、製造時にはＩＰアドレスは記憶されていない。工場出荷状態でＢＯＸ３１の電源が投入されたときに、ＣＰＵ３２がＡｕｔｏＩＰやＤＨＣＰサーバに拠る処理を実行して取得したＩＰアドレスが記憶される。
【００４６】
ペアアドレスメモリ３５ｆは、ペアとなるＭＦＰ１のＩＰアドレスを記憶するためのメモリである。ＣＰＵ３２は、無線ＬＡＮ通信制御回路３６が認証情報送信パケットを受信し、そのパケットの送信元がペアとなるＭＦＰ１であると判定すると、そのパケットの送信元情報であるＩＰアドレスを、ペアアドレスメモリ３５ｆに記憶する。
【００４７】
無線ＬＡＮ通信制御回路３６は、無線ＬＡＮ方式の無線通信によるデータ通信の各種制御を行うものであり、設定メモリ３６ａと、無線ＬＡＮ用アンテナ３７とを有する。この無線ＬＡＮ通信制御回路３６は、他の通信装置（例えば、ＭＦＰ１や、ＡＰ５１など）との間で各種のデータを構成するデジタル信号を送受信するものである。設定メモリ３６ａは、ＣＰＵ３２が入力した無線ＬＡＮに関する設定値やＭＡＣアドレスを記憶する揮発性のメモリである。
【００４８】
モデム４０は、ファクシミリ機能によって送信する原稿データを、電話回線網１００に伝送可能な信号に変調してＮＣＵ４１を介して送信したり、電話回線網１００からＮＣＵ４１を介して入力された信号を受信し、原稿データへ復調するものである。
【００４９】
なお、ＭＦＰ１とＢＯＸ３１とはペアとなって動作するように構成されている。例えば、ＭＦＰ１がスキャナ２０で画像データを読み取り（カードリーダライタを用いてメモリカードから画像データを読み込んでもよいし、図示しないパソコンなどから画像データを受信してもよい）、その画像データをＢＯＸ３１へ送信し、ＢＯＸ３１が画像データを受信し、その画像データを電話回線網１００へ送信するファクシミリ送信機能や、ＢＯＸ３１が電話回線網１００から受信した画像データをＭＦＰ１へ送信し、ＭＦＰ１が画像データを受信し、その画像データをプリンタ１９で印刷する（メモリカードリーダライタ２３を用いてメモリカードに記憶してもよいし、パソコンなどへ送信してもよい）ファクシミリ受信機能があげられる。
【００５０】
次に、図３〜図７を参照して、ＭＦＰ１のＣＰＵ１１により実行されるペア設定処理について説明する。ペア設定処理は、ＭＦＰ１の設定ボタン１７ａが押下された場合に実行される。
【００５１】
図３に示すように、ペア設定処理では、まず、設定確認処理を実行する（Ｓ１）。ここで、図４を参照して、ＭＦＰ１のＣＰＵ１１により実行される設定確認処理について説明する。設定確認処理（Ｓ１）では、ＭＦＰ１が接続している無線ネットワークを介して、ＭＦＰ１がＢＯＸ３１と無線通信できるかを確認する。
【００５２】
具体的には、フラッシュメモリ１４の所定の領域（図示しない）に記憶しているＭＦＰ１のシリアルＩＤに基づく認証情報を作成する。そして、送信元をＭＦＰ１とし、認証情報と、ペアアドレスメモリ１４ｆに記憶している（シリアルＩＤ送信パケット、シリアルＩＤ返信パケットの交換を経てＢＯＸ３１から取得した）ＩＰアドレスを受信先情報として含んだ認証情報送信パケットを無線ＬＡＮ通信制御回路１５に送信させる（Ｓ２１）。そして、認証情報送信パケットを受信した端末装置が返信する、その端末装置が作成した認証情報を含んだ、受信先をＭＦＰ１とした認証情報返信パケットを、認証情報送信パケットの送信から所定期間内に、無線ＬＡＮ通信制御回路１５が受信したかの判定、および、無線ＬＡＮ通信制御回路１５が認証情報返信パケットを受信したら、そのパケットに含まれる認証情報が、識別情報メモリ１４ｂに記憶しているＢＯＸ３１のシリアルＩＤと同じシリアルＩＤに基づいて作成されたものであるかを判定する（Ｓ２２）。
【００５３】
認証情報送信パケットの送信から所定期間内に認証情報返信パケットを受信できなかったと判定した、あるいは、認証情報返信パケットに含まれる認証情報が、識別情報メモリ１４ｂが記憶しているＢＯＸ３１のシリアルＩＤと同じシリアルＩＤに基づいて作成されたものでないと判定した場合には（Ｓ２２：Ｎｏ）、ＢＯＸ３１と無線通信できないとして、ＬＣＤ１８に「ＢＯＸと通信できませんでした。ＢＯＸのネットワーク設定リセットボタンを押して下さい。」と表示する（Ｓ２３）。尚、ＢＯＸ３１のネットワーク設定リセットボタン３８ａが、ユーザにより押下されると、上述したように、ＢＯＸ３１の無線ＬＡＮに関する設定値が、初期設定メモリ３５ａに記憶されている設定値（即ち、初期状態）になる。
【００５４】
次に、ＭＦＰ１の無線ＬＡＮに関する設定値を、初期設定メモリ１４ａに記憶されている設定値（即ち、初期状態）にする（Ｓ２４）。ここで、ＭＦＰ１およびＢＯＸ３１において共に、無線ＬＡＮに関する設定値が初期状態になると、工場出荷時と同様に、ＭＦＰ１およびＢＯＸ３１は、Ａｄモードで互いにデータ通信可能になる。
【００５５】
そして、所定時間待機した後に、ＣＰＵ１１は、Ｓ２１の処理と同様に、認証情報送信パケットを無線ＬＡＮ通信制御回路１５に送信させ（Ｓ２５）、Ｓ２２の処理と同様の判定を行う（Ｓ２６）。
【００５６】
Ｓ２６の判定が否定される場合には（Ｓ２６：Ｎｏ）、ＢＯＸ３１と無線通信できないとして、ＬＣＤ１８に「ＢＯＸと通信できませんでした。」と表示して（Ｓ２７）、本処理を終了する。一方、Ｓ２６の判定が肯定される場合（Ｓ２６：Ｙｅｓ）、又は、Ｓ２２の判定が肯定される場合（Ｓ２２：Ｙｅｓ）は、ＢＯＸ３１と無線通信できるとして、本処理を終了する。
【００５７】
ここで、図３の説明に戻る。設定確認処理（Ｓ１）が終了したら、次に、ペアのＢＯＸ３１と通信可能かを判定する（Ｓ２）。ここでは、図４のＳ２２またはＳ２６がＹｅｓだったときは肯定され、Ｓ２６がＮｏだったときは否定される。Ｓ２の判定が否定される場合には（Ｓ２：Ｎｏ）、Ｓ９の処理へ移行する。一方、Ｓ２の判定が肯定される場合には（Ｓ２：Ｙｅｓ）、ＭＦＰ設定変更処理を実行する（Ｓ３）。ここで、図５を参照して、ＭＦＰ１のＣＰＵ１１により実行されるＭＦＰ設定変更処理について説明する。
【００５８】
ＭＦＰ設定変更処理（Ｓ３）では、まず、ＬＣＤ１８に「ＭＦＰの設定を開始します。ＡＰ（アクセスポイント）の無線設定ボタンを押して、しばらくお待ち下さい。」と表示する（Ｓ３１）。
【００５９】
次に、上述したシステム処理を実行する（Ｓ３２）。ここで、ＡＰ５１の無線設定ボタン５１ａが押下されると、ＭＦＰ１とＡＰ５１との間で特別なデータ通信が実行され、ＭＦＰ１では、ＩｎｆモードでＡＰ５１を介した無線通信が可能となるための（無線ＬＡＮの）設定値が取得される。
【００６０】
次に、システム処理を実行してから、既定時間（タイムアウト時間）が経過したかを判定し（Ｓ３３）、Ｓ３３の判定が肯定される場合には（Ｓ３３：Ｙｅｓ）、ＬＣＤ１８に「ＭＦＰの無線ＬＡＮ設定機能を使用できませんでした。」と表示し（Ｓ３４）、本処理を終了する。
【００６１】
一方、Ｓ３３の判定が否定される場合には（Ｓ３３：Ｎｏ）、無線ＬＡＮの新たな設定値を取得できたかを判定する（Ｓ３５）。Ｓ３５の判定が否定される場合には（Ｓ３５：Ｎｏ）、Ｓ３３の処理に戻る。一方、Ｓ３５の判定が肯定される場合には（Ｓ３５：Ｙｅｓ）、システム処理の実行に伴って自動的に取得された設定値、即ち、無線ＬＡＮに関して新たに取得された設定値を、新ネットワーク設定メモリ１４ｄに記憶する（Ｓ３６）。そして、本処理を終了する。
【００６２】
ここで、図３の説明に戻る。ＭＦＰ設定変更処理（Ｓ３）が終了したら、次に、ＭＦＰ１の設定が正常に終了したかを判定する（Ｓ４）。ここでは、図５のＳ３５がＹｅｓだったときは肯定され、Ｓ３３がＹｅｓだったときは否定される。Ｓ４の判定が否定される場合には（Ｓ４：Ｎｏ）、Ｓ９の処理へ移行する。一方、Ｓ４の判定が肯定される場合には（Ｓ４：Ｙｅｓ）、ＢＯＸ設定変更処理を実行する（Ｓ５）。ここで、図６を参照して、ＭＦＰ１のＣＰＵ１１により実行されるＢＯＸ設定変更処理について説明する。
【００６３】
ＢＯＸ設定変更処理（Ｓ５）では、まず、ＬＣＤ１８に「ＢＯＸの設定を開始します。しばらくお待ち下さい。」と表示し（Ｓ４１）、変更開始要求パケットを、ペアのＢＯＸ３１へ送信する（Ｓ４２）。尚、ペアのＢＯＸ３１は、変更開始要求パケットを受信すると、その応答である変更開始応答パケットをペアのＭＦＰ１へ送信する（図８のＳ６７参照）。
【００６４】
次に、変更開始要求パケットをペアのＢＯＸ３１へ送信してから、既定時間（タイムアウト時間）が経過したかを判定する（Ｓ４３）。Ｓ４３の判定が肯定される場合には（Ｓ４３：Ｙｅｓ）、Ｓ４７の処理へ移行する。一方、Ｓ４３の判定が否定される場合には（Ｓ４３：Ｎｏ）、変更開始応答パケットをペアのＢＯＸ３１から受信したかを判定し（Ｓ４４）、Ｓ４４の判定が否定される場合には（Ｓ４４：Ｎｏ）、Ｓ４３の処理に戻る。
【００６５】
一方、Ｓ４４の判定が肯定される場合には（Ｓ４４：Ｙｅｓ）、新ネットワーク設定メモリ１４ｄに新たに記憶された設定値を暗号化し、それを設定値パケットに含めてペアのＢＯＸ３１へ送信する（Ｓ４５）。ここでは、データを暗号化して送信しても良いし、無線ＬＡＮの暗号化方式に従った暗号化を行っても良い。このように暗号化してデータを送信することで、ＢＯＸ３１やＡＰ５１に対して不正なアクセスが行われたり、不正にデータが閲覧、操作（改ざん）が行われるのを防止できる。
【００６６】
次に、設定値パケットをペアのＢＯＸ３１へ送信してから、既定時間（タイムアウト時間）が経過したかを判定する（Ｓ４６）。尚、Ｓ４５の処理により設定値パケットがＢＯＸ３１へ送信された後、そのデータをペアのＢＯＸ３１が受信すると、そのペアのＢＯＸ３１では、そのデータの設定値が、新ネットワーク設定メモリ３５ｄに記憶される（図８のＳ７０参照）。そして、ペアのＢＯＸ３１において設定値の記憶が正常に完了すると、ＢＯＸ３１は、変更完了通知パケットをペアのＭＦＰ１へ送信する（図８のＳ７５参照）。
【００６７】
Ｓ４６の判定が肯定される場合には（Ｓ４６：Ｙｅｓ）、ＬＣＤ１８に「ＢＯＸのネットワーク設定を変更できませんでした。」と表示して（Ｓ４７）、本処理を終了する。一方、Ｓ４６の判定が否定される場合には（Ｓ４６：Ｎｏ）、変更完了通知パケットをペアのＢＯＸ３１から受信したかを判定する（Ｓ４８）。Ｓ４８の判定が否定される場合には（Ｓ４８：Ｎｏ）、Ｓ４６の処理に戻る。一方、Ｓ４８の判定が肯定される場合には（Ｓ４８：Ｙｅｓ）、本処理を終了する。
【００６８】
ここで、図３の説明に戻る。ＢＯＸ設定変更処理（Ｓ５）が終了したら、次に、ペアのＢＯＸ３１において設定値の変更が正常に終了したかを判定する（Ｓ６）。ここでは、図６のＳ４８がＹｅｓだったときは肯定され、Ｓ４３またはＳ４６がＹｅｓだったときは否定される。Ｓ６の判定が否定される場合には（Ｓ６：Ｎｏ）、Ｓ９の処理へ移行する。一方、Ｓ６の判定が肯定される場合には（Ｓ６：Ｙｅｓ）、新設定切替指示処理を実行する（Ｓ７）。ここで、図７を参照して、ＭＦＰ１のＣＰＵ１１により実行される新設定切替指示処理について説明する。
【００６９】
新設定切替指示処理（Ｓ７）では、まず、切替指示パケットをペアのＢＯＸ３１へ送信する（Ｓ５１）。尚、切替指示パケットをペアのＢＯＸ３１が受信すると、そのペアのＢＯＸ３１は、切替実行パケットをＭＦＰ１へ送信し、続けて、新ネットワーク設定メモリ３５ｄの設定値を無線ＬＡＮ通信制御回路３６へ入力する（図８のＳ７８，Ｓ７９参照）。その結果、ペアのＢＯＸ３１は、ＡＰ５１とＩｎｆモードでデータ通信可能になる。
【００７０】
次に、ＣＰＵ１１は、切替指示パケットをペアのＢＯＸ３１へ送信してから、既定時間（タイムアウト時間）が経過したかを判定する（Ｓ５２）。Ｓ５２の判定が肯定される場合には（Ｓ５２：Ｙｅｓ）、ＬＣＤ１８に「ＢＯＸのネットワーク設定を変更できませんでした。」と表示して（Ｓ５３）、本処理を終了する。一方、Ｓ５２の判定が否定される場合には（Ｓ５２：Ｎｏ）、切替実行パケットをペアのＢＯＸ３１から受信したかを判定する（Ｓ５４）。Ｓ５４の判定が否定される場合には（Ｓ５４：Ｎｏ）、Ｓ５２の処理に戻る。
【００７１】
一方、Ｓ５４の判定が肯定される場合には（Ｓ５４：Ｙｅｓ）、ＣＰＵ１１は、新ネットワーク設定メモリ１４ｄに記憶している設定値を無線ＬＡＮ通信制御回路１５へ入力する（Ｓ５５）。そして、本処理を終了する。
【００７２】
ここで、図３の説明に戻る。新設定切替指示処理（Ｓ７）が終了したら、次に、ＡＰ５１経由で、ペアのＢＯＸ３１と通信可能かを判定する（Ｓ８）。ここでは、図７のＳ５４がＹｅｓだったときは肯定され、Ｓ５２がＹｅｓだったときは否定される。Ｓ８の判定が否定される場合には（Ｓ８：Ｎｏ）、ＬＣＤ１８に「設定中にエラーが発生しました。設定を最初からやり直します。ＢＯＸのネットワーク設定リセットボタンを押して下さい。」と表示する（Ｓ９）。尚、ペアのＢＯＸ３１のネットワーク設定リセットボタン３８ａが、ユーザにより押下されると、上述したように、ペアのＢＯＸ３１の現ネットワーク設定メモリ３５ｃに、初期設定メモリ３５ａに記憶されている設定値（即ち、初期状態）がコピーされる。
【００７３】
次に、現ネットワーク設定メモリ１４ｃに、初期設定メモリ１４ａに記憶されている設定値（即ち、初期状態）をコピーして、ＭＦＰ１の無線ＬＡＮに関する設定値を初期状態）にする（Ｓ１０）、Ｓ１の処理に戻る。ここで、ＭＦＰ１およびＢＯＸ３１において共に、無線ＬＡＮに関する設定値が初期状態になると、工場出荷時と同様に、ＭＦＰ１およびＢＯＸ３１は、Ａｄモードで互いにデータ通信可能になる。
【００７４】
一方、Ｓ８の判定が肯定される場合には（Ｓ８：Ｙｅｓ）、ＬＣＤ１８に「ＡＰ経由でＢＯＸと通信可能です。ＭＦＰおよびＢＯＸの設定が正常に終了しました。」と表示して（Ｓ１１）、本処理を終了する。
【００７５】
なお、Ｓ８の判定が肯定される場合でも、否定される場合でも、現ネットワーク設定メモリ１４ｃの設定値が変更される。すなわち、ＣＰＵ１１は現ネットワーク設定メモリ１４ｃの設定値やＭＡＣアドレスを無線ＬＡＮ通信制御回路１５に入力する処理や、ＭＦＰ１のＩＰアドレスを取得しなおし、ＩＰアドレスメモリ１４ｅに記憶する処理や、ペアとなるＢＯＸ３１のＩＰアドレスを取得しなおし、ペアアドレスメモリ１４ｆに記憶する処理などを実行する。
【００７６】
以上の図３に示すペア設定処理により、ＭＦＰ１とＢＯＸ３１とがＡＰ５１を介してデータ通信可能であると確認できた場合に限り、新たな設定値をＭＦＰ１やＢＯＸ３１の現ネットワーク設定メモリ１４ｃ，３５ｃに記憶できる。よって、ＭＦＰ１とＢＯＸ３１とがデータ通信不可能な状態になることを抑制できる。また、ＭＦＰ１とＢＯＸ３１とがＡＰ５１を介してデータ通信可能であるか否かをＬＣＤ１８で確認できる。
【００７７】
また、ＭＦＰ１はプリンタ１９やスキャナ２０やメモリカードリーダライタ２３などを有する装置であり、ＢＯＸ３１は、主に、電話回線網１００を使用する通信の制御を行う装置であるので、ＢＯＸ３１よりもＭＦＰ１の方が筐体（図１参照）が大きい。すなわち、ＭＦＰ１のほうが、より大きな表示領域のＬＣＤを搭載できる。本実施形態では、ユーザが、ＭＦＰ１のＬＣＤ１８を見ながらＢＯＸ３１を操作するという構成なので、ＢＯＸ３１のＬＣＤ３９を見ながらＢＯＸ３１を直接操作する場合よりも、より多くの情報を一度にＬＣＤ１８に表示させることができる。よって、ＢＯＸ３１の設定値や、設定値の変更処理の進行状況をより詳細に表示させることができ、ユーザの使い勝手を良くできる。
【００７８】
また、通信モードに関わらず、ＭＦＰ１およびＢＯＸ３１が互いにデータ通信不可能な場合や、ＭＦＰ１またはＢＯＸ３１において無線ＬＡＮに関する設定値の記憶が正常に終了しなかった場合には、ＭＦＰ１では、無線ＬＡＮに関する設定値を初期状態（工場出荷時）に戻し、更に、ＬＣＤ１８において、ネットワーク設定リセットボタン３８ａを押下するようユーザに報知する。そして、再度、ペア設定処理を始めから実行し直す。
【００７９】
ここで、ネットワーク設定リセットボタン３８ａが押下されれば、上述したように、ＢＯＸ３１の無線ＬＡＮに関する設定値が初期状態に戻されるので、ＭＦＰ１およびＢＯＸ３１において共に、無線ＬＡＮに関する設定値が初期状態（工場出荷時）に戻る。その結果、各装置１，３１がＡｄモードで互いにデータ通信可能な状態になる。
【００８０】
このように、本実施形態では、無線ＬＡＮに関する設定値の変更処理中に不具合が発生した場合でも、ＭＦＰ１およびＢＯＸ３１が互いにデータ通信可能な状態になるようにしている。すなわち、その後、ペア設定処理を始めから実行し直すときには、設定確認処理（Ｓ１）にて、ペアとなるＢＯＸ３１と通信でき、ペア設定処理を続行することができる。
【００８１】
また、本実施形態では、工場出荷時に、ペアとされたＭＦＰ１およびＢＯＸ３１において共に、無線ＬＡＮに関する設定値が初期状態に設定される。そのため、ユーザがＭＦＰ１およびＢＯＸ３１を購入した時点で、既に、各装置１，３１がＡｄモードで互いにデータ通信可能な状態になっており、ユーザがわざわざ各装置１，３１をデータ通信可能な状態に設定する必要がない。よって、ユーザは、ＭＦＰ１およびＢＯＸ３１の購入後、煩わしい設定をすることなく、ＭＦＰ１およびＡＰ５１の無線設定ボタン１７ａを、各１回ずつ押下すれば、ＭＦＰ１とＢＯＸ３１との通信設定を共に、ＡＰ５１を介して互いにデータ通信可能な状態に変更でき、使い勝手が良い。また、既に他のアクセスポイントを介して互いにデータ通信可能な状態でも、ＭＦＰ１およびＡＰ５１の無線設定ボタン１７ａを、各１回ずつ押下すれば、ＭＦＰ１とＢＯＸ３１との通信設定を共に、ＡＰ５１を介して互いにデータ通信可能な状態に変更でき、使い勝手が良い。
【００８２】
次に、図８を参照して、ＢＯＸ３１のＣＰＵ３２により実行される要求実行処理について説明する。要求実行処理は、ＢＯＸ３１の主電源が投入されてから主電源が遮断されるまで繰り返し実行される。
【００８３】
図８に示すように、この要求実行処理では、まず、ネットワーク上にブロードキャスト形式で送信されたシリアルＩＤ要求パケットを無線ＬＡＮ通信制御回路３６が受信したかを判定し（Ｓ６１）、Ｓ６１の判定が肯定される場合には（Ｓ６１：Ｙｅｓ）、ＢＯＸ３１のシリアルＩＤを含むパケットであって、ＢＯＸ３１を送信元とし、受信先をＭＦＰ１としたシリアルＩＤ返信パケットを、シリアルＩＤ要求パケットの送信元の装置へ送信し（Ｓ６２）、Ｓ６３の処理へ移行する。一方、Ｓ６１の判定が否定される場合には（Ｓ６１：Ｎｏ）、Ｓ６３の処理へ移行する。
【００８４】
次に、ＢＯＸ３１へ送信された認証情報送信パケットを無線ＬＡＮ通信制御回路３６が受信したかを判定し（Ｓ６３）、Ｓ６３の判定が否定される場合には（Ｓ６３：Ｎｏ）、Ｓ６１の処理に戻る。一方、Ｓ６３の判定が肯定される場合には（Ｓ６３：Ｙｅｓ）、認証情報要求パケットに含まれる認証情報が、識別情報メモリ３５ｂが記憶しているＭＦＰ１のシリアルＩＤと同じシリアルＩＤに基づいて作成されたものであるかを判定する（Ｓ６４）。Ｓ６４の判定が否定される場合には（Ｓ６４：Ｎｏ）、Ｓ６１の処理に戻る。一方、Ｓ６４の判定が肯定される場合には（Ｓ６４：Ｙｅｓ）、認証情報要求パケットの送信元へ認証情報返信パケットを返信し（Ｓ６５）、Ｓ６６の処理へ移行する。
【００８５】
尚、Ｓ６５の処理では、フラッシュメモリ３５の所定の領域（図示しない）に記憶しているＢＯＸ３１のシリアルＩＤに基づく認証情報を作成する。そして、送信元をＢＯＸ３１とし、認証情報と、ペアアドレスメモリ３５ｆに記憶しているＩＰアドレスを受信先情報として含んだ認証情報返信パケットを無線ＬＡＮ通信制御回路３６に送信させる。
【００８６】
次に、変更開始要求パケットをペアのＭＦＰ１から受信したかを判定し（Ｓ６６）、Ｓ６６の判定が否定される場合には（Ｓ６６：Ｎｏ）、Ｓ６１の処理に戻る。一方、Ｓ６６の判定が肯定される場合には（Ｓ６６：Ｙｅｓ）、変更開始応答パケットをペアのＭＦＰ１へ送信する（Ｓ６７）。
【００８７】
次に、変更開始応答パケットをペアのＭＦＰ１へ送信してから、既定時間（タイムアウト時間）が経過したかを判定する（Ｓ６８）。Ｓ６８の判定が肯定される場合は（Ｓ６８：Ｙｅｓ）、設定値の変更が失敗した場合なので、Ｓ６１の処理に戻る。一方、Ｓ６８の判定が否定される場合には（Ｓ６８：Ｎｏ）、暗号化され送信されてくる設定値パケットをペアのＭＦＰ１から受信したかを判定する（Ｓ６９）。そして、Ｓ６９の判定が否定される場合には（Ｓ６９：Ｎｏ）、Ｓ６８の処理へ戻る。
【００８８】
一方、Ｓ６９の判定が肯定される場合には（Ｓ６９：Ｙｅｓ）、受信したデータを復号化して、パケットに含まれていた無線ＬＡＮに関する設定値を新ネットワーク設定メモリ３５ｄに記憶する（Ｓ７０）。そして、その記憶した新たな設定値を無線ＬＡＮ通信制御回路３６に入力する（Ｓ７１）。ここで、その受信したデータに含まれている無線ＬＡＮの設定値が正しければ、Ｓ７１の処理よって、ＢＯＸ３１は、ＩｎｆモードでＡＰ５１を介してＭＦＰ１とデータ通信可能な状態に設定（変更）される。
【００８９】
次に、無線ＬＡＮ通信制御回路３６にＡＰ５１へのアクセス（ＡＰ５１にオーセンティケーション要求、アソシエーション要求）させ成功するか判定し（Ｓ７２）、Ｓ７２の判定が否定される場合は（Ｓ７２：Ｎｏ）、設定値の変更処理が失敗した場合なので、無線ＬＡＮ通信制御回路３６に、現ネットワーク設定メモリ３５ｃの設定値を入力する（Ｓ７３）。即ち、ＡｄモードでＭＦＰ１と直接データ通信可能な状態にする。そして、Ｓ６１の処理に戻る。
【００９０】
一方、Ｓ７２の判定が肯定される場合には（Ｓ７２：Ｙｅｓ）、ペアのＭＦＰ１に設定値の変更完了を通知するために、無線ＬＡＮ通信制御回路３６に、一旦、現ネットワーク設定メモリ３５ｃの設定値を入力する（Ｓ７４）。即ち、ＡｄモードでＭＦＰ１と直接データ通信可能な状態にする。
【００９１】
そして、ここでは、設定値パケットと同等の暗号化を行った変更完了通知パケットを作成し、変更完了通知パケットをペアのＭＦＰ１へ送信する（Ｓ７５）。そして、変更完了通知パケットをペアのＭＦＰ１へ送信してから、既定時間（タイムアウト時間）が経過したかを判定する（Ｓ７６）。Ｓ７６の判定が肯定される場合は（Ｓ７６：Ｙｅｓ）、設定が失敗した場合なので、Ｓ６１の処理に戻る。
【００９２】
一方、Ｓ７６の判定が否定される場合には（Ｓ７６：Ｎｏ）、切替指示パケットをペアのＭＦＰ１から受信したかを判定する（Ｓ７７）。Ｓ７７の判定が否定される場合には（Ｓ７７：Ｎｏ）、Ｓ７６の処理に戻る。一方、Ｓ７７の判定が肯定される場合には（Ｓ７７：Ｙｅｓ）、切替実行パケットを作成し、ペアのＭＦＰ１へ送信する（Ｓ７８）。
【００９３】
次に、無線ＬＡＮ通信制御回路３６に、新ネットワーク設定メモリ３５ｄの設定値を入力する（Ｓ７９）。即ち、ＢＯＸ３１がＩｎｆモードでＡＰ５１を介してＭＦＰ１とデータ通信可能な状態にする。Ｓ７９の処理では、具体的には、現ネットワーク設定メモリ３５ｃに、新ネットワーク設定メモリ３５ｄの設定値をコピーする。上述したように、現ネットワーク設定メモリ３５ｃの設定値が変更された場合、ＣＰＵ３２は現ネットワーク設定メモリ３５ｃの設定値やＭＡＣアドレスを無線ＬＡＮ通信制御回路３６に入力する処理や、ＢＯＸ３１のＩＰアドレスを取得しなおし、ＩＰアドレスメモリ３６ｅに記憶する処理などを実行する。その結果、無線ＬＡＮ通信制御回路３６に、新ネットワーク設定メモリ３５ｄの設定値が入力される。そして、Ｓ６１の処理に戻る。
【００９４】
以上の図８に示す要求実行処理により、設定値パケットをペアのＭＦＰ１から受信した場合に、そのパケットに基づいて、ＢＯＸ３１はＡＰ５１を介してペアのＭＦＰ１とデータ通信可能な状態になる。
【００９５】
以上説明した通り、第１実施形態では、ＭＦＰ１およびＢＯＸ３１のうち、ＭＦＰ１だけにシステム処理を実行させており、その実行によって得られた無線ＬＡＮの設定値を含む設定値パケットをＭＦＰ１がＢＯＸ３１へ送信している。そして、ＢＯＸ３１では、設定値パケットに基づいて、ＢＯＸ３１の無線ＬＡＮに関する設定値を設定（変更）させている。よって、ユーザは、ＭＦＰ１およびＡＰ５１の無線設定ボタン１７ａ，５１ａを各１回ずつ押下するだけで、ＭＦＰ１とＢＯＸ３１との無線ＬＡＮに関する設定値を設定できる。
【００９６】
次に、本発明の第２実施形態について説明する。第２実施形態では、まず、ＭＦＰ１およびＡＰ５１において共に、上述したシステム処理が実行されるように、ユーザに、ＭＦＰ１およびＡＰ５１の無線設定ボタン１７ａ，５１ａを各１回ずつ押下してもらう。そして、ＭＦＰ１がＡＰ５１を介したＩｎｆモードでの通信が可能になるのを待ち、ＭＦＰ１が通信可能になったら、次に、システム処理をＢＯＸ３１に実行させると共に、再度、ユーザに、ＡＰ５１の無線設定ボタン５１ａを１回押下してもらう。その結果、ＢＯＸ３１も、ＭＦＰ１と同様にＡＰ５１を介したＩｎｆモードでの通信が可能になるので、ＭＦＰ１およびＢＯＸ３１を、同一のＡＰ５１を介して互いにデータ通信可能な状態にできる。
【００９７】
尚、第２実施形態では第１実施形態と異なる部分についてのみ説明する。ＭＦＰ１のＲＯＭ１２には、上述した図６のＢＯＸ設定変更処理に代えて、図９のＢＯＸ設定変更処理を実行するプログラムが格納されている。また、ＢＯＸ３１のＲＯＭ３３には、上述した図８の要求実行処理に代えて、図１０の要求実行処理を実行するプログラムが格納されている。
【００９８】
次に、図９を参照して、第２実施形態におけるＭＦＰ１のＣＰＵ１１により実行されるＢＯＸ設定変更処理について説明する。ＢＯＸ設定変更処理（Ｓ５）では、まず、設定処理要求パケットをペアのＢＯＸ３１へ送信する（Ｓ８１）。尚、設定処理要求パケットをペアのＢＯＸ３１が受信すると、ペアのＢＯＸ３１は、その応答である処理開始応答パケットをペアのＭＦＰ１へ送信する（図１０のＳ９２参照）と共に、システム処理を実行する（図１０のＳ９３参照）。
【００９９】
次に、設定処理要求パケットをペアのＢＯＸ３１へ送信してから、既定時間（タイムアウト時間）が経過したかを判定する（Ｓ８２）。Ｓ８２の判定が肯定される場合には（Ｓ８２：Ｙｅｓ）、Ｓ８６の処理へ移行する。一方、Ｓ８２の判定が否定される場合には（Ｓ８２：Ｎｏ）、処理開始応答パケットをペアのＢＯＸ３１から受信したかを判定し（Ｓ８３）、Ｓ８３の判定が否定される場合には（Ｓ８３：Ｎｏ）、Ｓ８２の処理に戻る。
【０１００】
一方、Ｓ８３の判定が肯定される場合には（Ｓ８３：Ｙｅｓ）、ＬＣＤ１８に「ＢＯＸの設定を開始します。ＡＰ（アクセスポイント）の無線設定ボタンを押して、しばらくお待ち下さい。」と表示する（Ｓ８４）。
【０１０１】
ここで、ＡＰ５１の無線設定ボタン５１ａが押下されると、ＢＯＸ３１では上述したシステム処理が実行され、その処理が成功すると、ＢＯＸ３１は、処理完了通知パケットをペアのＭＦＰ１へ送信する（図１０のＳ９７参照）。
【０１０２】
次に、処理開始応答パケットをペアのＢＯＸ３１から受信してから、既定時間（タイムアウト）が経過したかを判定する（Ｓ８５）。Ｓ８５の判定が肯定される場合には（Ｓ８５：Ｙｅｓ）、ＬＣＤ１８に「ＢＯＸの無線ＬＡＮ設定機能を使用できませんでした。」と表示して（Ｓ８６）、本処理を終了する。
【０１０３】
一方、Ｓ８５の判定が否定される場合には（Ｓ８５：Ｎｏ）、処理完了通知パケットをペアのＢＯＸ３１から受信したかを判定し（Ｓ８７）、Ｓ８７の判定が否定される場合には（Ｓ８７：Ｎｏ）、Ｓ８５の処理に戻る。一方、Ｓ８７の判定が肯定される場合には（Ｓ８７：Ｙｅｓ）、本処理を終了する。
【０１０４】
以上の図９に示すＢＯＸ設定変更処理により、ＭＦＰ１の無線設定ボタン１７ａが押下された場合に、まず、ＭＦＰ１にシステム処理を実行させ、その後、ＢＯＸ３１にもシステム処理を実行させることができる。よって、ユーザは、ＭＦＰ１を操作すれば、各装置１，３１のシステム処理をそれぞれ実行できるので、使い勝手が良い。
【０１０５】
次に、図１０を参照して、第２実施形態におけるＢＯＸ３１のＣＰＵ３１により実行される要求実行処理について説明する。尚、上述した第１実施形態と同一の処理を実行するステップについては、同一の符号を付してその説明を省略する。
【０１０６】
図１０に示すように、要求実行処理では、まず、Ｓ６１の処理を実行し、Ｓ６１の判定が肯定される場合には（Ｓ６１：Ｙｅｓ）、Ｓ６２の処理を実行して、Ｓ６３の処理へ移行する。する。一方、Ｓ６１の判定が否定される場合には（Ｓ６１：Ｎｏ）、Ｓ６３の処理へ移行する。そして、Ｓ６５の処理が終了したら、次に、設定処理要求パケットをペアのＭＦＰ１から受信したかを判定する（Ｓ９１）。
【０１０７】
Ｓ９１の判定が否定される場合には（Ｓ９１：Ｎｏ）、Ｓ６１の処理に戻る。一方、Ｓ９１の判定が肯定される場合には（Ｓ９１：Ｙｅｓ）、処理開始応答パケットをペアのＭＦＰ１へ送信して（Ｓ９２）、上述したシステム処理を実行する（Ｓ９３）。
【０１０８】
ここで、システム処理の実行中に、ＡＰ５１の無線設定ボタン５１ａが押下されると、ＢＯＸ３１とＡＰ５１との間で特別なデータ通信が実行される。その結果、ＢＯＸ３１では、ＩｎｆモードでＡＰ５１を介した無線通信が可能となるための（無線ＬＡＮの）設定値が取得される。
【０１０９】
次に、システム処理を実行してから、既定時間（タイムアウト時間）が経過したかを判定する（Ｓ９４）。Ｓ９４の判定が肯定される場合は（Ｓ９４：Ｙｅｓ）、システム処理が正常に実行されなかった場合なので、Ｓ６１の処理に戻る。
【０１１０】
一方、Ｓ９４の判定が否定される場合には（Ｓ９４：Ｎｏ）、無線ＬＡＮの新たな設定値を取得できたかを判定する（Ｓ９５）。Ｓ９５の判定が否定される場合には（Ｓ９５：Ｎｏ）、Ｓ９４の処理に戻る。一方、Ｓ９５の判定が肯定される場合は（Ｓ９５：Ｙｅｓ）、システム処理の実行に伴って自動的に取得された設定値、即ち、無線ＬＡＮに関して新たに取得された設定値を、新ネットワーク設定メモリ３５ｄに記憶する（Ｓ９６）。
【０１１１】
そして、ペアのＭＦＰ１へ処理完了通知パケットを送信する（Ｓ９７）。次に、ペアのＭＦＰ１へ処理完了通知パケットを送信してから、既定時間（タイムアウト時間）が経過したかを判定する（Ｓ９８）。Ｓ９８の判定が肯定される場合は（Ｓ９８：Ｙｅｓ）、処理が失敗した場合なので、Ｓ６１の処理に戻る。
【０１１２】
一方、Ｓ９８の判定が否定される場合には（Ｓ９８：Ｎｏ）、Ｓ７７の処理を実行し、Ｓ７７の判定が否定される場合には（Ｓ７７：Ｎｏ）、Ｓ９８の処理に戻る。一方、Ｓ７７の判定が肯定される場合には（Ｓ７７：Ｙｅｓ）、Ｓ７８，Ｓ７９の処理を順番に実行して、Ｓ６１の処理に戻る。
【０１１３】
以上の図１０に示す要求実行処理により、設定処理要求パケットをペアのＭＦＰ１から受信した場合に、システム処理を実行して、ＢＯＸ３１を、ＡＰ５１を介してＭＦＰ１とデータ通信可能な状態に設定（変更）できる。
【０１１４】
以上、第２実施形態について説明したが、第２実施形態でも第１実施形態と同様の効果が得られるのは言うまでもない。
【０１１５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１６】
例えば、上述した設定確認処理（図４参照）において、まず始めに、ＭＦＰ１の無線ＬＡＮに関する設定値が初期状態であるかを判定するように、又は、ＭＦＰ１の通信モードがＡｄモードであるかを判定するように構成しても良い。ここで、ＢＯＸ３１の無線ＬＡＮに関する設定値は、ＭＦＰ１と同様であると見做すこととし、この判定が肯定される場合には、本処理を終了する一方、この判定が否定される場合には、Ｓ２３の処理に移行するように構成しても良い。また、この判定が否定される場合には、Ｓ２１の処理に移行するように構成しても良い。
【０１１７】
また、上述したペア設定処理（図３参照）において、Ｓ３〜Ｓ６の各処理の実行順序を入れ替え、先に、Ｓ５，Ｓ６の各処理を実行し、その後、Ｓ３，Ｓ４の各処理を実行するように構成しても良い。
【０１１８】
また、上記実施形態では、ＭＦＰ１が接続されているネットワーク上に、ＢＯＸ３１が存在しているか否かをＭＦＰ１が確認するために、ＭＦＰ１は、ネットワーク上に認証情報送信パケットを送信しているが（図４参照）、別の情報を送信して、ＢＯＸ３１の存在を確認するように構成しても良い。例えば、Ｓ２１，Ｓ２５の各処理で、ＭＦＰ１が、シリアルＩＤ要求パケットを、ネットワーク上にブロードキャスト形式で送信するように構成し、Ｓ２２，Ｓ２６の各処理で、シリアルＩＤ要求パケットを送信してから所定時間内にペアとなるＢＯＸ３１を送信元としたシリアルＩＤ返信パケットを受信したか、を判定するように構成してもよい。ここで、判定が肯定される場合には、本処理を終了する一方、判定が否定される場合には、次のステップに移行するように構成する。
【０１１９】
また、上記実施形態では、通信モードに関わらず、ＭＦＰ１およびＢＯＸ３１が互いにデータ通信不可能な場合や、ＭＦＰ１またはＢＯＸ３１において無線ＬＡＮに関する設定値の変更が正常に終了しなかった場合には、上述したように、再度、ペア設定処理が始めから実行されるが、この、再度のペア設定処理では、設定確認処理（図４参照）を実行しないよう構成してもよい。
【０１２０】
また、上述した設定確認処理（図４参照）において、ＭＦＰ１がＢＯＸ３１の存在を確認できた場合に、ＭＦＰ１およびＢＯＸ３１において共に、現ネットワーク設定メモリ１４ｃ，３５ｃに初期状態（工場出荷時）の設定値を記憶するようにし（即ち、各装置１，３１がＡｄモードで互いにデータ通信可能な状態になるようにし）、その後、以降の処理が引き続き実行されるように構成しても良い。例えば、ＭＦＰ１がＢＯＸ３１の存在を確認できた場合に、ＭＦＰ１では、現ネットワーク設定メモリ１４ｃの設定値を初期状態（工場出荷時）にし、更に、ＬＣＤ１８において、ネットワーク設定リセットボタン３８ａを押下するようユーザに報知する。このように、ＭＦＰ１およびＢＯＸ３１がＡｄモードで直接データ通信可能な状態になってから、ペア設定処理を実行することで、通信エラーの発生を抑制できる。よって、各装置１，３１の通信設定を共に、ＡＰ５１を介して互いにデータ通信可能な状態に変更できる（設定が正常に終了する）可能性を高められる。
【０１２１】
また、上記実施形態では、無線ＬＡＮに関する設定値の変更処理の実行中に、その処理についてエラーが発生した場合でも、その設定を始めからやり直せるように、ＭＦＰ１およびＢＯＸ３１において共に、既定時間（タイムアウト時間）が経過したかを判定しているが、その既定時間が経過するまで待たなくても、無線ＬＡＮに関する設定値の変更処理についてエラーの発生が確認できた時点で、その処理を始めからやり直せるように構成しても良い。例えば、自装置１，３１において無線ＬＡＮに関する設定値の変更処理の実行中に、その処理についてエラーが発生したら、そこで、エラーの発生を示すエラー通知パケットを、相手側の装置１，３１へ送信するように構成し、また、自装置１，３１においてエラー通知パケットを受信したら、既定時間が経過するのを待たずに、そこで、無線ＬＡＮに関する設定値の変更処理を、始めからやり直すように構成する。これにより、無線ＬＡＮに関する設定値の変更処理の実行中に、その設定についてエラーが発生した場合でも、直ぐに、設定値の変更処理をやり直すことができ、設定完了までの待ち時間を短縮できる。
【０１２２】
また、上述した新設定切替指示処理（図７参照）において、Ｓ５５の処理のみ実行し（即ち、他の処理を省略し）、更に、上述した図８の要求実行処理であれば、Ｓ７６〜Ｓ７８の各処理を省略し、図１０の要求実行処理であれば、Ｓ９８，Ｓ７７，Ｓ７８の各処理を省略しても良い。即ち、新設定切替指示処理が実行される前の段階で、必ず、ＭＦＰ１およびＢＯＸ３１が互いにデータ通信可能になっているため、新設定切替指示処理の実行時も互いにデータ通信可能になる可能性が高い。よって、新設定切替指示処理や、要求実行処理において、設定値の変更処理が問題なく進行しているかを確認するために、ＭＦＰ１およびＢＯＸ３１間で互いに通信しなくても良い。
【０１２３】
また、上述したＢＯＸ設定変更処理（図６参照）において、Ｓ４３：Ｎｏ，Ｓ４４：Ｙｅｓと分岐し、その後、Ｓ４５の処理が実行されると、ＭＦＰ１の無線ＬＡＮに関する設定値がＢＯＸ３１へ送信されるので、ＢＯＸ３１において、無線ＬＡＮに関する設定値が正常に設定される可能性が高い。よって、その後、設定が問題なく進行しているかを確認するために、ＭＦＰ１およびＢＯＸ３１の間で互いに通信しなくても良い。例えば、第１実施形態であれば、ＢＯＸ設定変更処理におけるＳ４６，Ｓ４８の各処理を省略し、加えて、新設定切替指示処理におけるＳ５１〜Ｓ５４の各処理を省略しても良い。それに伴って、図８の要求実行処理では、Ｓ７１の処理を実行したら、Ｓ６１の処理に戻るように構成しても良い。また、第２実施形態であれば、図９のＢＯＸ設定変更処理におけるＳ８２〜Ｓ８７の各処理を省略し、加えて、新設定切替指示処理におけるＳ５１〜Ｓ５４の各処理を省略しても良い。それに伴って、図１０の要求実行処理では、Ｓ９５：Ｙｅｓへ分岐した後、Ｓ９６およびＳ７９の各処理を実行して、Ｓ６１の処理に戻るように（即ち、Ｓ９７〜Ｓ７８の各処理を省略するように）構成しても良い。
【０１２４】
また、上記実施形態では、ＭＦＰ１を識別する識別情報として、ＭＦＰ１のＭＡＣアドレスを使用し、ＢＯＸ３１を識別する識別情報として、ＢＯＸ３１のＭＡＣアドレスを使用しているが、ＭＡＣアドレスに変えて、各製品１，３１について固有に付される製造番号を、各装置１，３１の識別情報として使用しても良い。
【０１２５】
また、第１実施形態では、まず、ＭＦＰ１がシステム処理を実行し、それにより得られるデータに基づいて、ＢＯＸ３１が設定値の変更を行っているが、それに代えて、まず、ＢＯＸ３１がシステム処理を実行し、無線ＬＡＮに関する設定値を取得し、その後、ＢＯＸ１が新たな設定値を含む設定値パケットＭＦＰ１へ送信する。そして、ＭＦＰ１が、受信した設定値パケットに含まれている新たな設定値を取得し、それを用いて無線ＬＡＮに関する設定を行うことで、ＭＦＰ１とＢＯＸ３１とがＡＰ５１を介して通信可能となるように構成しても良い。
【０１２６】
また、第２実施形態では、まず、ＭＦＰ１がシステム処理を実行し、その後、ＢＯＸ３１がシステム処理を実行しているが、先に、ＢＯＸ３１がシステム処理を実行して、ＢＯＸ３１に無線ＬＡＮに関する設定値を自動的に変更させ、その後、ＭＦＰ１がシステム処理を実行して、ＭＦＰ１に無線ＬＡＮに関する設定値を自動的に設定させるように構成しても良い。
【０１２７】
また、ＭＦＰ１に代えて、ＢＯＸ３１に無線設定ボタンを設けておき、このボタンが押下されたら、ＢＯＸ３１において、上述したペア設定処理（図３参照）を実行させるように構成し、そして、ＭＦＰ１では、上述した要求実行処理（図８，図１０参照）を実行させるように構成しても良い。これにより、ユーザがＭＦＰ１の代わりに、ＢＯＸ３１を操作すれば、ＭＦＰ１とＢＯＸ３１との無線ＬＡＮに関する設定値を各々自動的に変更させることができる。
【０１２８】
また、図５のＳ３２や図１０のＳ９３で、ＭＦＰ１やＢＯＸ３１がシステム処理を実行することに代えて、ＭＦＰ１やＢＯＸ３１が、操作キー１７，３８からユーザ入力された、新たな設定値を取得するように構成してもよい。
【０１２９】
また、ＭＦＰ１のメモリカードリーダライタ２３や、図示しないＵＳＢスロット、ＣＤ／ＤＶＤドライブに装着された記憶媒体から、ＭＦＰ１が、新たな設計値を取得するようにしてもよい。
【０１３０】
また、記憶媒体がＭＦＰ１に装着された、とＣＰＵ１１が判断したときに、ペア設定処理（図３参照）を実行するように構成しても良い。
【０１３１】
また、ＭＦＰ１に装着された記憶媒体に新たな設定値が記憶されている、とＣＰＵ１１が判断したときに、ペア設定処理（図３参照）を実行するように構成してもよい。
【０１３２】
また、通信方式を無線ＬＡＮ方式に限定するものではなく、他の通信方式の無線通信によりデータ通信可能に構成しても良い。例えば、他の通信方式のとしては、赤外線通信（ＩｒＤＡなど）や、Ｂｌｕｅｔｏｏｔｈや、ＺｉｇＢｅｅや、ＵＷＢや、移動通信（携帯電話や、ＰＨＳや、コードレス電話などの通信方式）などが該当する。
【０１３３】
また、本実施形態のＢＯＸ３１は、無線ＬＡＮ方式の無線通信によりデータ通信可能に構成されているが、更に、コードレス電話の親機の機能を設けても良い。
【０１３４】
また、ＭＦＰ１とＢＯＸ３１とがペアとなり、ファクシミリ送信機能などを実現する構成を例示したが、ペアとなって動作するものであれば、他の構成であってもかまわない。例えば、ＭＦＰ１がプリンタ１９やスキャナ２０などに代えて、画像や動画を表示する表示部や、音声を出力するスピーカなどを備えており、ＢＯＸ３１が記憶媒体、ネットワーク、通信回線、テレビ放送、ラジオ放送などから取得した画像データ、動画データ、音声データを保存するネットワークストレージとして構成されており、ＭＦＰ１がＢＯＸ３１に、ＢＯＸ３１が保存している画像データなどのコンテンツを要求し、ＢＯＸから返信されるコンテンツを表示したり、音声出力したりするコンテンツ再生機能を実現する構成でもかまわない。また、ＢＯＸ３１がメモリを備え、撮影した画像データや動画データなどを保存するカメラであり、ＭＦＰ１がＢＯＸ３１にコンテンツを要求し、返信されるコンテンツを再生する機能を実現する構成でもよい。
【０１３５】
また、プリンタ１９は、インクジェット方式に限らず、レーザー方式など、各種方式のプリンタでよい。また、ＭＦＰ１はプリンタ１９やスキャナ２０を備える複合機ではなく、プリンタ機能のみを備えたプリンタ装置や、スキャナ機能のみを備えたスキャナ装置であってもよい。
【符号の説明】
【０１３６】
１      ＭＦＰ（通信装置、所定の端末装置）
３１    ＢＯＸ（通信装置、所定の端末装置）
１４ａ  初期設定メモリ（初期設定記憶手段の一部）
１４ｂ  識別情報メモリ（識別情報記憶手段の一部）
３５ａ  初期設定メモリ（初期設定記憶手段の一部）
３５ｂ  識別情報メモリ（識別情報記憶手段の一部）
Ｓ３    受付手段の一部
Ｓ８    判断手段の一部
Ｓ９    第１報知手段の一部
Ｓ１０  第１初期化手段の一部
Ｓ２２  確認手段の一部
Ｓ２３  第２報知手段の一部
Ｓ２４  第２初期化手段の一部
Ｓ４５  送信手段の一部
Ｓ５１  送信手段の一部
Ｓ５５  設定手段の一部、第１設定手段の一部
Ｓ６９  受信手段の一部
Ｓ７７  受信手段の一部
Ｓ７９  設定手段の一部、第２設定手段の一部
【図１】
0005251929.tif 000002
【図２】
0005251929.tif 000003
【図３】
0005251929.tif 000004
【図４】
0005251929.tif 000005
【図５】
0005251929.tif 000006
【図６】
0005251929.tif 000007
【図７】
0005251929.tif 000008
【図８】
0005251929.tif 000009
【図９】
0005251929.tif 000010
【図１０】
0005251929.tif 000011